(57)【要約】【課題】溶接を行うにあたって使用される消耗性電極ワイヤー溶接トーチは  消耗性電極ワイヤーを内部通過させこの時給電させ溶接アークを発生させているため幾つかの部品（コンタクトチップ，ノズル等）の消耗と汚れが発生し溶接不良の原因となる。このため各部品の交換と清掃が必要になる。しかしこれらの作業を行う場合各部品はネジ込み構造のため過分な労力と時間が必要となる。また交換容易に対応した物は接続部の構造上この部分が大きなものとなり被溶接品の細かい所や奥深い所への進入が困難になり良好な溶接姿勢及び狙いが取れなくなる。【解決手段】  上記に対応するため接続部のメス側に複数の割り込みスリットをいれこの外周をスプリングまたはオーリング等にて締め付けるようにし交換時スリットを開きおこなうようにする。またよりスピードアップをはかるため交換部品のユニット化（チップボデーユニット）をする。【選択図】図１
2005144547.tif 000002
【特許請求の範囲】
【請求項１】
トーチボデー先端部直接又は別途先端部取り付けのアダプターユニットに複数の割り込みスリットをいれ  この外周をスプリング又はオーリング等により締め付けることによりチップボデー又はチップボデーユニットをワンタッチ又は自動的に交換することの出来る事を特徴とする消耗性電極ワイヤー溶接トーチ
【請求項２】
チッボデーは  トーチボデー接続部にネジ切りせずストレート又はテーパー形状としこの部分にて接続することにより接続部を太くする事なくできるため溶接ワークの狭い部分への侵入可能となる事により溶接ネライ性が良くなり溶接品質アップを可能とする事を特徴とする請求項１記載の消耗性電極ワイヤー溶接トーチ
【発明の詳細な説明】
【技術分野】
【０００１】本発明は消耗性電極ワイヤー溶接トーチトーチボデー先端部に容易又は自動的にチップボデー又はチップボデーユニットにした物を交換できることが可能な消耗性電極ワイヤー溶接トーチに関する物である。
【背景技術】
【０００２】従来トーチボデーとチップボデーとの接続をする場合双方にネジ加工を施した物を回転締め付ける方式又はブッシュ金具にて回転ロックして交換するものがある（例えば特許文献１参照）
【特許文献１】特開２００３−１４５２７２
【発明の開示】
【発明が解決しようとする課題】
【０００３】溶接を行うにあたって使用される消耗性電極ワイヤー溶接トーチは消耗性電極ワイヤーを内部通過させこの時給電させ溶接アークを発生させているため幾つかの部品（コンタクトチップ，ノズル等）の消耗と汚れが発生し溶接不良の原因となります。
このため各部品の交換と清掃が必要になる。【０００４】これらの作業を行う場合各部品はネジ込接続構造であるため各部品を回転取り付け取り外しの必要になる。
このためこれらの作業には  過分な労力と時間が必要となる。【０００５】また容易に交換できることを目的とする対応品は構造上接続部分が非常に大きくなってしまうため溶接時ワークへの進入性が悪くなり良好な溶接姿勢及びねらいが困難となる。【０００６】本発明は  従来の技術の有するこのような問題点に鑑みてなされた物でありその目的とするところは  消耗性電極ワイヤー溶接トーチの交換及び清掃必要部品類を容易にまたは自動的に交換できそしてその接続部分を太くする事なく可能とした消耗性電極ワイヤー溶接トーチを提供しようとするものである。
【課題を解決するための手段】
【０００７】上記目的達成のために本発明の消耗性電極ワイヤー溶接トーチは  チップボデーまたはチップボデーユニットをトーチボデー先端部に容易にまたは自動的に交換できることを特徴とする。【０００８】また前記チップボデーは接続される部分がストレートまたはテーパーに加工されていることを特徴とする。【０００９】またトーチボデー先端部直接または別途先端部取り付けのアダプターユニットに複数の割り込みスリットをいれ  この外周をスプリングまたはオーリング等により締め付けることを特徴とする。【００１０】前記特徴により接続部の太さを抑えることができ被溶接品の細いまた奥まった所までトーチを入れ込むことができやすくなり結果  良好な溶接姿勢及び狙い位置を取ることができることにより溶接の安定性を高めることのできることを特徴とする。
【発明の効果】
【００１１】本発明によりチッボデーまたはチッボデーユニットの交換が容易または自動的に行うことができるため溶接装置の無人化率及び稼動化率のアップが可能となると共に接続部の太さが抑えられることにより被溶接品の細いまた奥まった所までトーチを入れ込むことができやすくなり結果  良好な溶接姿勢及び狙い位置を取ることができることにより溶接の安定性を高めることのできる消耗性電極ワイヤー溶接トーチとなる。
【発明を実施するための最良の形態】
【実施例】
【００１２】添付図面にて本発明を実施するための最良の形態（実施例）について説明する。
図１は  全体の組立図となっている。
図２は  チップボデーユニット（コンタクトチップ，ノズル，インナーガイドインシュレータ，バッフル，チップボデー）となっている。
図３は  トーチボデー先端部（直接式）となっている。
図４は  チップボデー単体となっている。
図４は  インナーガイド単体となっている。
【図面の簡単な説明】
【００１３】
【図１】消耗性電極ワイヤー溶接トーチのユニット外観図である。またこれは握り部（図省略）に接続されている。
【図２】消耗性電極ワイヤー溶接トーチのトーチボデー全体組み立ての外観図である。またこれは握り部（図省略）に接続されている。
【図３】チップボデーユニット外観図である。
【図４】トーチボデー先端部（直接式）加工外観図である。
【図５】インナーガイド加工外観図である。
【符号の説明】
【００１４】１はトーチボデー外観及び構造図全体
２はトーチボデー先端割り込みスリット加工
３はトーチボデー先端スプリングまたはオーリング
４はチップボデーユニット内におけるコンタクトチップ
５はチップボデーユニット内におけるノズル
６はチップボデーユニット内におけるインシュレータ
７はチップボデーユニット内におけるチップボデー
８はインナーガイド
９はチップボデー
１０はトーチボデー絶縁カバーの一部分
１１はトーチボデーとチップボデー接続部のトーチボデー側
１２はトーチボデー先端スプリングまたはオーリングセット部加工溝
【図１】
2005144547.tif 000003
【図２】
2005144547.tif 000004
【図３】
2005144547.tif 000005
【図４】
2005144547.tif 000006
【手続補正書】
【提出日】平成16年2月2日(2004.2.2)
【手続補正１】
【補正対象書類名】明細書
【補正対象項目名】００１３
【補正方法】変更
【補正の内容】
【００１３】
【図１】消耗性電極ワイヤー溶接トーチの組み付け図である。またこれは握り部（図面省略）に接続されている。
【図２】消耗性電極ワイヤー溶接トーチの全体分解図である。
【図３】消耗性電極ワイヤー溶接トーチの全体外観図である。
【図４】チツプボデーユニットの外観図である。
【図５】トーチボデー先端部である。
【図６】チップボデー外観図である。
【図７】インナーガイド外観図である。又チューブ部はスプリングまたはステンレスパイプを使用する。
【手続補正２】
【補正対象書類名】図面
【補正対象項目名】全図
【補正方法】変更
【補正の内容】
【図１】
2005144547.tif 000007
【図２】
2005144547.tif 000008
【図３】
2005144547.tif 000009
【図４】
2005144547.tif 000010
【図５】
2005144547.tif 000011
【図６】
2005144547.tif 000012
【図７】
2005144547.tif 000013